(57)【特許請求の範囲】
【請求項１】
互いに異なる波長を有する光信号を出力する複数の光信号出力部と、該複数の光信号出力部から出力された光信号を波長多重して送出する波長多重部とをそなえてなる波長多重伝送装置であって、
各光信号出力部が、
電気信号により駆動されて所定波長の光信号を出力する送信光源と、
該送信光源から出力された光信号の波長ドリフトを防止すべく、上記送信光源で出力すべき上記所定波長の光信号のみを通過し送出しうる波長フィルタとをそなえ、
かつ、
該波長フィルタから送出される光信号のレベルを監視し、上記レベルが予め設定された第１のしきい値レベルよりも小さくなった場合に、異常を検出する第１異常検出部と、
該送信光源から出力される光信号の出力レベルの異常を検出する第２異常検出部と、
該第１異常検出部にて異常が検出されるとともに該第２異常検出部において正常が検出された場合に、該送信光源から出力される光信号の波長異常を検出する第３異常検出部とをそなえて構成されたことを特徴とする、波長多重伝送装置。
【発明の詳細な説明】
【０００２】
【発明の属する技術分野】
本発明は、高密度の波長多重伝送を行なうに際に用いて好適な、波長多重伝送装置に関するものである。
【０００３】
【従来の技術】
近年、伝送装置に対する大容量化への要求は、情報化社会のより一層の進歩に伴い、ますます高まっている。特に、エレクトロニクスの高速化（電気信号での伝送速度の高速化）も１０Ｇｂ／ｓを超えると困難になりつつあり、光信号レベルでの高速化、特に、波長多重方式を適用する信号伝送により、大容量化を図ることが大いに期待されてきている。
【０００４】
波長多重方式としては、光ファイバの最も低損失な波長である１．５５μｍ帯における、狭帯域な波長多重が有望視されており、すでに実用化されている。さらに、この波長帯は、エルビウムをドープした光ファイバによる光増幅器の適用波長帯と合致し、波長多重もしくは波長分離を行うために設けられる合／分波器の損失もこの光増幅器により補うことができるので、従来にない多数の波長多重を行なうことも可能である。
【０００５】
【発明が解決しようとする課題】
しかしながら、上述のごとき波長多重方式を採用する伝送装置においては、複数の送信光の波長を、１．５５μｍ帯において狭帯域且つ高密度に伝送光信号（送信光）の波長配置を行なう際に、様々な原因により伝送光信号の波長にわずかな変動が生じるが、このように送信光にわずかな波長変動が生じた場合においても、当該チャンネルの信号が不通となる場合があるほか、近傍する他チャンネルの波長の光信号に影響が波及して、他チャンネルへのクロストークをひき起こす場合もある。
【０００６】
このような場合には、波長変動の生じたチャンネルばかりでなく、クロストークの発生したチャンネルにおいても通信エラーが発生することも考えられる。
従って、上述の高密度の波長多重や、波長分離を行なう伝送装置においては、送信光源の波長安定化を図るのはもちろんのこと、万一、波長ずれを生じた場合においても、他チャンネルに対してクロストークを引き起こすことを防止する必要があるという課題がある。
【０００７】
また、光信号の送信装置においては、温度の安定性を確保するために、光源の温度安定化回路等を設けたものがあるが、この光源の環境温度をモニタするサーミスタの安定性が十分でない場合、経時劣化で変動を生じる可能性があることに配慮する必要がある課題があり、他方、光波長を出力する送信光源自体の経時劣化にも配慮する必要がある課題もある。
【０００８】
本発明は、このような課題に鑑み創案されたもので、送信光源の波長が変動することをを検出し、他チャンネルに対してクロストークを引き起こすことを防止できるようにした、波長多重伝送装置を提供することを目的とする。
【０００９】
【課題を解決するための手段】
上述の目的を達成するために、本発明の波長多重伝送装置は、互いに異なる波長を有する光信号を出力する複数の光信号出力部と、複数の光信号出力部から出力された光信号を波長多重して送出する波長多重部とをそなえてなる波長多重伝送装置であって、各光信号出力部に送信光源と波長フィルタとをそなえて構成される。
【００１０】
ここで、送信光源は、電気信号により駆動されて所定波長の光信号を出力するものであり、波長フィルタは、送信光源から出力された光信号の波長ドリフトを防止すべく、送信光源で出力すべき所定波長の光信号のみを通過し送出しうるものである。
さらに、波長フィルタから送出される光信号のレベルを監視し、レベルが予め設定された第１のしきい値レベルよりも小さくなった場合に、異常を検出する第１異常検出部をそなえて構成する。
【００１１】
この場合においては、送信光源から出力される光信号の出力レベルの異常を検出する第２異常検出部と第１異常検出部にて異常が検出されるとともに第２異常検出部において正常が検出された場合に、送信光源から出力される光信号の波長異常を検出する第３異常検出部とをそなえて構成する。
【００２３】
【発明の実施の形態】
以下、図面を参照することにより、本発明の実施の形態について説明する。
（１）第１実施形態の説明
図２７は本発明の第１実施形態にかかる波長多重伝送装置１００Ａを示すブロック図であり、この図２７に示す波長多重伝送装置１００Ａは、複数の光信号出力部１００をそなえるとともに、波長多重部５０をそなえて構成され各光信号出力部１００は、互いに異なる光波長を出力する光源１を設けており、波長多重部５０により複数の異なる光波長（例えば、１．５５μｍ帯）を高密度に多重して、例えば、６００ＭＨｚ程度以上の伝送速度で多重信号を送出しうるようになっている。
【００２４】
光信号出力部１００は、詳細には図１に示すように、光源１と波長フィルタ２とをそなえて構成される。
なお、図２７の構成は、１台の装置ばかりではなく、いくつかの装置の復号構成でも良い。
ここで、光源１は、電気信号により駆動されて所定波長の光信号を出力する送信光源であり、半導体レーザ（Ｌａｓｅｒ  ｄｉｏｄｅ）等により構成される。
【００２５】
波長フィルタ２は、光源１  から出力された光信号の波長ドリフトを防止すべく、光源１で出力すべき所定波長の光信号のみを通過し送出しうるものであり、例えば、図２に示すように、誘電体多層膜２−１およびレンズ２−２ａ，２−２ｂをそなえて構成されている。
この誘電体多層膜２−１は、屈折率の異なる誘電体薄膜を交互に数層から十数層重ねて構成（ガラス基盤として構成）され、媒質の屈折率等により光源１からファイバ２−３ａおよびレンズ２−２ａを介して入射された光信号について、所定波長帯の光のみを通過させるように構成することができる。
【００２６】
ここで、図３は、波長フィルタ２における光波長に対する光信号の損失特性を示す図であるが、この図３に示すように、波長フィルタ２を通過した光信号の損失値は、波長がずれるほど大きくなる。換言すれば、波長フィルタ２は、その通過損失が最も少ない波長を、上述の光源１から送出すべき光波長となるように調整されるようになっており、これにより、光源１から出力すべき光波長のみを通過させることができるのである。
【００２７】
上述の構成により、第１実施形態にかかる波長多重伝送装置１００Ａにおける各光信号出力部１００では、所望の電気的信号により駆動されて光信号を出力する。
各光信号出力部１００の光源１から出力された光信号は、ファイバ２−３ａを通じて波長フィルタ２へ出力される。すなわち、ファイバ２−３ａからの光信号は、レンズ２−２ａによりコリメートされて誘電体多層膜２−１へ入力される。誘電体多層膜２−１へ入力された光信号のうちで、所定の光波長成分のみが、誘電体多層膜２−１内のガラス基盤を通過し、レンズ２−２ｂを介して、ファイバ２−３ｂに出射されるが、所定の光波長以外の光波長については、誘電体多層膜２−１内のガラス基盤を通過せずファイバ２−３ｂへは出射されない。
【００２８】
このように、本発明の第１実施形態にかかる波長多重伝送装置１００Ａによれば、各光信号出力部１００において、光源１から発せられた光信号が、所定の正常範囲から外れた場合は、出力に直列に接続された波長フィルタにより減衰されて送信器出力としては出力されないため、各光信号出力部１００では、すくなくとも本来出力すべき光波長以外の波長を有する光信号を出力することがなくなり、他チャンネルへのクロストークを防止することができる。
【００２９】
なお、上述の波長フィルタ２は、固定波長型のものでも、或いは、所定波長にロックされた可変波長型のものでもよく、並びに、送信光源も、固定波長型に限らず可変波長型の光源を用いることにしても構わない。
（２）第２実施形態の説明
第２実施形態にかかる波長多重伝送装置１００Ａにおいても、前述の第１実施形態の場合と同様、波長多重部５０により複数の異なる光波長（１．５５μｍ帯）を高密度に多重し、例えば、６００ＭＨｚ程度以上の伝達速度で多重信号を出力しうるものである（図２７参照）が、前述の第１実施形態の場合と異なる複数の光信号出力部２００をそなえている。
【００３０】
図４は、第２実施形態にかかる光信号出力部２００を示す図であり、この図２に示す光信号出力部２００は、前述の第１実施形態におけるものに比してカプラ３（ＣＰＬ）と検出器４（ＤＥＴ）をそなえて構成される点が異なり、その他（符号１，２参照）の構成は同様である。
尚、（１）で用いたものと同じものについては、その説明を省略する。
【００３１】
カプラ３は光を分岐するものであり、図５（ａ），（ｂ）にその一例を示す。すなわち、カプラ３は、２本の光ファイバが融着されてなるもので、一方の入力ポート３−１，３−２から入射される光信号を分岐して、２つの出力ポート３−３，３−４から出射することができるようになっている。
検出器４は、第１異常検出部としてのものであり、波長フィルタ２から送出される光信号のレベルを監視するものである。
【００３２】
ここで、図６は、本発明の第２実施形態に係る検出器４を示す図であり、この図６に示すように、検出器４はフォトダイオード（ｐｈｏｔｏ  ｄｉｏｄｅ  ；以下「ＰＤ」と言う。）４−１と比較器４−２をそなえて構成される。カプラ３で分岐された光信号は、検出器４に入力されて、この検出器内のＰＤ４−１にり、電気信号に変換がなされる。比較器４−２は、この変換された電流値と所定の基準値とを比較するものであり、オペアンプ等が用いられる。
【００３３】
ここで、比較器４−２で比較される所定の基準値としては、例えば光源１からの光信号が光信号出力部２００からの正常な光信号として許容できる光信号の最小レベル値が用いられる。
また、図７は、比較器４−２に入力される光信号のレベル値（パワー値）と波長との関係を示す図であり、この図７に示すように、カプラ３からの光信号が、設定された本来所定波長で出力されるべき光信号である場合には、比較器４−２に入力される基準値よりも、カプラ３からの光信号レベルが高くなる。
【００３４】
一方、本来の波長からのずれが大きくなるにつれて、波長フィルタ２の作用により比較器４−２への光信号の入力レベル値は低くなっており、波長ずれの程度が許容範囲よりもおおきくなると、光信号レベルは基準値より低く、即ち、光信号出力部２００からの正常な光信号として許容できる範囲から外れ警報情報として出力するようになっている。
【００３５】
上述の構成により、光源１から送出された光信号は、波長フィルタ２により減衰され、カプラ３で分岐されて、分岐された一方の光信号は、検出器４へ送られる。他方の光信号は、光信号を多重する部分に送られる。
検出器４では、光信号がＰＤ４−１により変換されて、その電気信号を基に、比較器４−２が波長フィルタ２等を介して送られてくる光源１からの光信号を監視する。
【００３６】
即ち、比較器４−２は、予め設定された基準値と受光した光信号レベルを比較し、この基準値より光信号レベルが低いときは、その光源異常である旨〔警報（アラーム）等〕を出力する。
上述の如く、検出器４は、波長フィルタ２から送出される光信号のレベルを監視し、レベルが比較器４−２の参照値よりも下まわる場合に異常を検出することから、第１異常検出部の機能を発揮する。
【００３７】
このように、本発明の第２実施形態にかかる波長多重伝送装置１００Ａによれば、波長フィルタ１から送出される光信号を検出器４のＰＤ４−１を介して電気変換されたものを予め定められた基準値と比較する比較器４−２により、光源異常を検出することができるので、他チャンネルへのクロストークを防止しながら、異常に対する適切な処置を迅速に行なうことができる利点がある。
（３）第３実施形態の説明
第３実施形態にかかる波長多重伝送装置１００Ａにおいても、前述の第１実施形態の場合と同様、波長多重部５０により複数の異なる光波長（１．５５μｍ帯）を高密度に多重し、例えば、６００ＭＨｚ程度以上の伝達速度で多重信号を出力しうるものである（図２７参照）が、前述の第１実施形態の場合と異なる複数の光信号出力部３００をそなえている。
【００３８】
図８は、本発明の第３実施形態にかかる光信号出力部３００を示す図であり、この図８に示すように、光信号出力部３００は、前述の第２実施形態におけるものに比してカプラ３−１と検出器４′とＡＮＤ回路５をそなえて構成される点が異なり、その他（符号１，２，３，４参照）の構成は同様である。
なお、（１），（２）で用いたものと同じものについては、その説明を省略する。
【００３９】
カプラ３−１は、カプラ３−２と同様に、光源１からの出力に直列に配置されており、カプラ３と同様に光信号を分岐するものである。
検出器４′は、第２異常検出部として機能するものであり、光源１からの光信号の出力レベルが所定のレベルに至っているか否かを検出するようになっており、基本的に前述の図６に示す検出器４と同様の構成を有している。
【００４０】
これにより、検出器４′では、カプラ３−１からの所望の光信号が検出された際には、正常である旨をＡＮＤ回路５へ出力するようになっている。
ＡＮＤ回路５は、検出器４，４′からの信号を基に、光波長のずれが生じているか否かを検出するものである。具体的には、検出器４からの検出結果が異常（入力される光信号のレベルが基準値を下まわっている）であり、検出器４′からの検出結果が正常（入力される光信号のレベルが基準値を超えている）の場合には、光源１から出力される光信号の波長にズレが生じている旨を警報情報として出力するようになっている。
【００４１】
上述の構成により、第３実施形態にかかる波長多重伝送装置１００Ａの各光信号出力部３００では、カプラ３−１で分岐された光源１からの光信号が、検出器４′で分岐されて、所望の光出力レベルに至っているか否かを検出器４′で判定される。
一方、カプラ３−１を通過した光信号は、波長フィルタ２を通過してカプラ３で分岐された光信号は、検出器４′に送られて、この検出器４′は所定の基準値に光源１からの光信号レベル値が至っているか否かを判定し、その判定結果の情報をＡＮＤ回路５へ出力する。
【００４２】
ＡＮＤ回路５は、検出器４からの検出結果と検出器４′からの検出結果とに基づいて光源１の光信号が正常であるか否かを検出する。検出器４′で光源１の光信号レベル値が所定の基準値を超えて正常である旨の信号を受けるとともに、検出器４から波長フィルタ２を介して送られてきた光信号が所定レベル値を下まわり異常である旨の信号をＡＮＤ回路５が受けると波長異常であることを検出し、その旨を出力する。
【００４３】
上述の如く、ＡＮＤ回路５は、第１異常検出部としての検出器４において異常が検出されるとともに第２異常検出部としての検出器４′において正常が検出された場合に、送信光源から出力される光信号の波長異常を検出する第３異常検出部としての機能を発揮する。
このように、本発明の第３実施形態の波長多重伝送装置１００Ａによれば、光信号出力部３００が、検出器４，４′およびＡＮＤ回路５をそなえたことにより光源１自体の光出力が正常であるか否か、および、波長フィルタ２を通過した光信号が所望の光出力としてあるか否かを検出する二重の判断を行なって、単なる光源異常のみならず、波長ずれについても検出することができ、延いては、光源異常に対する原因が波長異常であることを即座に認識できる利点がある。
【００４４】
なお、検出器４′において光源１からの光波長が所望のレベルに至っていないと判定した際においては、波長異常の旨の情報の代わりに、光源異常検出情報をＡＮＤ回路５は、出力するようにしてもよい。
このようにしても、検出器４′が予め設定された基準値と光源１からの光出力レベルを比較することで光源異常を検出することができる。
（３ａ）第３実施形態の変形例の説明
第３実施形態の変形例にかかる波長多重伝送装置３５０Ａにおいても、前述の第１実施形態の場合と同様、波長多重部５０により複数の異なる光波長（１．５５μｍ帯）を高密度に多重し、例えば、６００ＭＨｚ程度以上の伝達速度で多重信号を出力しうるものである（図２７参照）が、前述の第１実施形態の場合と異なる複数の光信号出力部３５０をそなえている。
【００４５】
図９は、第３実施形態の変形例にかかる光信号出力部３５０を示す図であり、この図９に示すように、光信号出力部３５０は、前述の第３実施形態におけるものに比してカプラ３−１をそなえず、また、カプラ３−１で分岐された光信号を監視する検出器４′とは異なり、光源１のバック光をモニタする検出器４″をそなえて構成される点が異なり、その他（符号２，３，４，５参照）の構成は同様である。
【００４６】
尚、（１）〜（３）で用いたものと同じものについては、その説明を省略する。
ここで、検出器４″は、第２異常検出部として機能するものであり、光源１からのバック光を監視し、捕らえたバック（後方）光を予め設定された基準値と比較して、光源１からの光波長が所望の出力レベルで送出されているか否か判定するものであり、前述の検出器４と基本的に同様の構成を有する。
【００４７】
上述の構成により、第３実施形態の変形例にかかる波長多重伝送装置３５０Ａの各光信号出力部３５０では、検出器４″で、光源１からのバック（後方）光のレベルを監視することにより、光波長の出力レベルが正常であるか否かの判定がなされるとともに、波長フィルタ２によりファイバを通じて伝送する光信号のうちで所望の光波長を有する光信号のみが通過されて、カプラ３を介して分岐された光波長の出力レベルを検出器４で所定の基準値と比較する。
【００４８】
検出器４″では、光源１のバック光を監視し、基準値との比較の結果、光源１からの光波長の出力値が所望の基準値超えているときは、正常である旨の信号をＡＮＤ回路５に出力する。
ＡＮＤ回路５は、検出器４と検出器４″とから受信した信号に基づき、光源１からの光波長に波長ずれが生じているか否かを判定する。ここで、ＡＮＤ回路５では、検出器４″からの信号が正常で、検出器４からの信号が異常であるときは、波長異常が生じている旨の信号を出力する。従って、ＡＮＤ回路５は第３異常検出部としての機能を発揮する。
【００４９】
このように、本発明の第３実施形態の変形例にかかる波長多重伝送装置３５０Ａによれば、光信号出力部３５０が、検出器４，４″およびＡＮＤ回路５をそなえたことにより光源１自体の光出力が正常であるか否か、および、波長フィルタ２を通過した光信号が所望の光出力としてあるか否かを検出する二重の判断を行って、単なる光源異常のみならず、波長ずれについても検出することができ、延いては、光源異常に対する原因が波長異常であることを即座に認識でき、且つ、その異常に対する処置を即座に講ずることができ得る。
【００５０】
なお、検出器４″において光源１からの光波長が所望のレベルに至っていないと判定した際においては、波長異常の旨の情報の代わりに、光源異常検出情報をＡＮＤ回路５は、出力するようにしてもよい。
また、上述の第３実施形態の場合に比して、主信号系にカプラ３−１を設ける必要がなくなり、光信号の損失を抑制することができる。
（４）第４実施形態の説明
第４実施形態にかかる波長多重伝送装置４００Ａにおいても、前述の第１実施形態の場合と同様、波長多重部５０により複数の異なる光波長（１．５５μｍ帯）を高密度に多重し、例えば、６００ＭＨｚ程度以上の伝達速度で多重信号を出力しうるものである（図２７参照）が、前述の第１実施形態の場合と異なる複数の光信号出力部４００をそなえている。
【００５１】
図１０は、本発明の第４実施形態にかかる光信号出力部４００を示す図であり、この図１０に示すように、光信号出力部４００は、光源モジュール（ＬＤ  ｍｏｄｕｌｅ，「ＬＤ  ＭＯＤ」と略す。）６，自動温度調整（Ａｕｔｏｍａｔｉｃ  Ｔｅｍｐｅｒａｔｕｒｅ  Ｃｏｎｔｒｏｌ，以下「ＡＴＣ」と言う。）回路７，周囲温度監視回路８，自動電流制御（Ａｕｔｏｍａｔｉｃ  Ｃｕｒｒｅｎｔ  Ｃｏｎｔｒｏｌ，以下「ＡＣＣ」と言う。）回路９および検出器１０をそなえて構成される。
【００５２】
ここで、光源モジュール６は、所定波長の光信号を出力する送信光源としてＬＤ（Ｌａｓｅｒ  ｄｉｏｄｅ，以下「ＬＤ」と言う。）６−０，温度検出部としてサーミスタ（以下「ＴＨ」と言う。）６−１および加熱／冷却部として熱電制御（Ｔｈｅｒｍｏｅｌｅｃｔｒｉｃ  Ｃｏｎｔｒｏｌ，  以下「ＴＥＣ」と言う。）６−２が１つの筐体内にパッケージングされて構成されるもので、ＬＤ６−０は所定波長の光信号を出力する送信光源であり、ＴＨ６−１はＬＤ６−０近傍の環境温度を検出するものであり、ＴＥＣ６−２はＬＤ６−０の環境温度を可変にしうるものである。
【００５３】
ここで、図１１は、ＴＥＣ６−２の一例である熱電冷却素子（ｔｈｅｒｍｏｅｌｅｃｔｒｉｃ  ｃｏｏｌｉｎｇ  ｅｌｅｍｅｎｔ）  としてのペルチェ素子を示す図である。以下、ＴＥＣ６−２をペルチェ素子として、実施形態の説明を進める。この図１１に示すように、ペルチェ素子６−２においては、２つの金属の接合部を通って電流が流れたとき、熱が発生し、或いは吸収される現象が起こる。また、図１２に示すように、ペルチェ素子６−２において、ある方向に電流が流れて熱が発生したとき、電流の向きを逆にすると熱が吸収されるようになっている。
【００５４】
また、ＡＴＣ回路７は、ＴＨ６−１において検出された温度情報に基づいて制御信号をＴＥＣ６−２に出力することにより、環境温度が予め設定された基準温度に安定するようにＴＥＣ６−２を制御するものである。
ここで、図１３は、ＡＴＣ回路７を示すブロック図であり、この図１３に示すように、ＡＴＣ回路７は、主として比較器７−０と抵抗およびトランジスタにより構成される電流制御回路７−１とをそなえて構成されている。
【００５５】
比較器７−０は、ＴＨ６−１からの温度情報と予め設定されている基準値とを比較するもので、比較結果をトランジスタ７−１を介してペルチェ素子６−２および検出器１０に送出するようになっている。そして、ペルチェ素子６−２では、比較結果がトラジスタ７−１を介して印加される電流値により、熱の吸収／放出が行なわれるようになる。
【００５６】
このように、ＡＴＣ回路７は、ＴＨ６−１において検出された温度情報に基づいて電流値による制御信号をＴＥＣ６−２に出力することで、環境温度が予め設定された基準温度に安定するようにＴＥＣ６−２を制御する温度制御部としての機能を発揮するものである。
周囲温度検出器として機能する周囲温度監視回路８は光源モジュール６の周囲温度を検出するものである。なお、光源外部の周囲環境温度監視回路８であれば、サイズ面での制限はるかに緩く、安定性のよい、例えば、白金抵抗温度計などが使用できるので、比較的信頼性の高い温度検出が可能である。
【００５７】
ＡＣＣ回路９は、ＬＤ６−０に供給される駆動電流を一定に制御するものであり、例えば、後述するように、比較器９−１およびトランジスタ等９−２をそなえて構成される。なお、上述のＡＣＣ回路９の代わりに、主信号系の光パワーを監視し、この光パワーを安定化させるように制御するＡＰＣ（Ａｕｔｏｍａｔｉｃ  Ｐｏｗｅｒ  Ｃｏｎｔｒｏｌ）  回路を用いることもできる。
【００５８】
検出器１０は、ＡＴＣ回路７からのＴＥＣ６−２に対する制御信号と、周囲温度監視回路８において検出された周囲温度情報とに基づいて、光源モジュール６における異常を検出するものである。
ここで、図１４は、第４実施形態にかかる検出器１０を示すブロック図であり、この図１４に示すように、検出器１０は、加算器１０−１，比較器１０−２，１０−３およびＯＲ回路１０−４をそなえて構成される。
【００５９】
ここで、加算器１０−１は、ＡＴＣ回路７からのペルチェ電流モニタ情報（ペルチェ素子６−２に送られる電流値情報）と周囲温度監視回路８にて検出された温度情報とにより、ＬＤ６−０の周囲温度（ＬＤモジュール６内のＬＤ６−０近傍の環境温度）とＬＤモジュール６の周囲温度との差分を算出するものである。ここで、図１５は、ペルチェ電流モニタと周囲温度との関係を示す図であり、この図１５に示すように、ＬＤモジュール６の周囲温度（ケース温度）の変化に対するペルチェ素子６−２に与えられる電流値（ペルチェ電流モニタ）の範囲が２本の点線Ａ，Ｂ内である。その２本の点線Ａ，Ｂ内を外れるところは、光信号を駆動する電流値が異常であることを意味する。
【００６０】
換言すると、周囲環境監視回路８からの光源環境温度（Ｔａ）と、ＬＤ６−０温度（ＴＨ）を安定化するのに必要な温度安定化回路としてのＡＴＣ回路７の消費電流（ペルチェ電流値）との関係は、予め知られているので、正常範囲を逸脱した場合には、それを検出して、光源温度異常とする。延いては、光源波長異常と見做すことができる。
【００６１】
従って、検出器１０では、ペルチェ電流モニタ値が、この２本の点線Ａ，Ｂ内にあるか否を２つの比較器１０−２，１０−３での値の比較により判定することができるようになっている。
ここで、比較器１０−２はペルチェ電流モニタとしての電圧情報と周囲温度監視回路８からのケース温度を示す電圧情報との差分値と、予め設定された上限許容値とを比較するものである。換言すれば、この比較器１０−２により、ペルチェ電流モニタ値が図１５に示す点線Ａのレベルを超えているか否かを判定できるようになっている。
【００６２】
また、比較器１０−３は、上述の差分値と予め設定された下限許容値（マイナス情報）とを比較するものであり、この比較器１０−３により、ペルチェ電流モニタ値が図１５に示す点線Ｂのレベルを下まわるか否かを判定できるようになっている。
さらに、比較器１０−２は、加算器１０−１からの差分値が所定の基準値よりも大きいことを検出すると正常範囲を外れる旨の情報をＯＲ回路１０−４へ出力するようになっており、比較器１０−３は、所定の基準値（マイナス情報）よりも小さいことを検出すると正常範囲を外れる旨の情報をＯＲ回路１０−４へ出力するようになっている。
【００６３】
ＯＲ回路１０−４は、比較器１０−２，１０−３のうちの少なくとも一方からの異常である旨の信号を入力されると、波長異常を検出してその旨を出力するようになっている。
上述の如く、検出器１０は、ＡＴＣ回路７からＴＥＣ６−２に対する制御信号と、周囲環境温度監視回路８にて検出された周囲温度情報とに基づいて、光源モジュール６における異常を検出する第４異常検出部として機能するものである。
【００６４】
ところで、この電流値の差分等が生じる要因としては、ＴＨ６−１の抵抗の劣化等により温度検出値の誤差が生じることにある。この場合には、ＡＴＣ回路７によるＬＤ６−０の周囲温度の制御が、ＬＤ６−０において所望の波長の光信号を出力しうるような制御系から外れることになるので、この温度検出値の誤差により、間接的に波長異常を検出することができるのである。
【００６５】
上述の構成により、第４実施形態にかかる波長多重伝送装置４００のＡＴＣ回路７では、ＴＨ６−１において検出された温度情報に基づきＬＤ６−０の環境温度を一定にすべく、ペルチェ素子６−２に流れる電流を制御する。
また、検出器１０では、ＡＴＣ回路７から入力されたペルチュ素子６−２に対する温度制御情報とともに、周囲環境監視回路８にて検出されたＬＤモジュール６の周囲温度情報を基に、ＬＤ６−０温度の制御量に対して光信号が正常として許容される範囲であるか否かを判定する。許容範囲を外れる場合は、環境温度におけるＬＤ６−０から光波長のずれが生じていることを検出する。
【００６６】
このように、本発明の第４実施形態の波長多重伝送装置４００Ａによれば、光信号出力部４００が、ＡＴＣ回路７，周囲環境温度監視回路８および検出器１０をそなえたことにより、予め知られているＬＤ６−０の環境温度とＡＴＣ６−０で消費する電流との関係に配慮して、周囲環境温度監視回路８による周囲温度の監視とＬＤ６−０の波長安定化のためにそなえられているＡＴＣ回路７，ＴＨ６−１を監視とにより異常を検出することで、既存の波長安定化制御機構からの制御情報を用いながら間接的に波長異常を検出することができるとともに、波長異常検出した旨が出力されるため、波長異常に対して即座に対処を講ずることができ得る。
（５）第５実施形態の説明
第５実施形態にかかる波長多重伝送装置５００Ａにおいても、前述の第１実施形態の場合と同様、波長多重部５０により複数の異なる光波長（１．５５μｍ帯）を高密度に多重し、例えば、６００ＭＨｚ程度以上の伝達速度で多重信号を出力しうるものである（図２７参照）が、前述の第１実施形態の場合と異なる複数の光信号出力部５００をそなえている。
【００６７】
図１６は、本発明の第５実施形態にかかる光信号送信部５００を示す図であり、この図１６に示すように、光信号送信部５００は、前述の第５実施形態におけるものに比して周囲温度監視回路８および検出器１０の代わりに検出器１１をそなえて構成される点が異なり、その他（符号６，６−０，６−１，６−２，７，９参照）の構成は同様である。
【００６８】
尚、（４）で用いたものと同じものについては、その説明を省略する。
検出器１１は、ＡＣＣ回路９からの電流情報を基に波長ずれが生じているか否かを検出するものである。
ここで、図１７は、第５実施形態にかかるＡＣＣ回路９と検出器１１とを示すブロック図であり、この図１７に示すように、ＡＣＣ回路９は比較器９−１とトランジスタ９−２とをそなえて構成されている。
【００６９】
また、比較器９−１は、ＬＤ６−０が所定の光波長を出力するための駆動電流値を基準値として、トランジスタ９−２を介してＬＤ６−０への駆動電流を制御するものである。換言すると、ＡＣＣ回路９は、ＬＤ６−０を駆動する電気信号のレベルが基準レベルに安定するように、ＬＤ６−０の駆動する電気信号を制御する駆動信号制御部として機能するものである。
【００７０】
一方、検出器１１は、比較器１１−１，１１−２およびＯＲ回路１１−３をそなえて構成され、ＡＣＣ回路９からの駆動電流が所望のレベル、駆動電流値が正常な範囲内にあるか否かを判定するようになっている。
ここで、比較器１１−１は、比較する際の基準値として正常な駆動電流値と許容できる最大電流値を基準とするもので、この基準値より大きいか否かを判定するものである。また、比較器１１−２は、比較する際の基準値として正常な駆動電流値と許容できる最小電流値を基準とするものである。
【００７１】
ＯＲ回路１１−３は、比較器１１−１から基準値より大きい旨の信号、或いは、比較器１１−２から基準値より小さい旨の信号を受けると、波長異常の検出信号を出力するようになっている。
上述の構成により、第５実施形態にかかる波長多重伝送装置５００Ａの各光信号出力部５００では、光源１は、ＡＣＣ回路９の電流制御のもとで流れる電気信号により駆動されて、光波長を一定のレベルで出力する。一方、検出器１１では、駆動電流情報に基づき駆動電流値が正常な範囲レベルにあるか否かを予め設定された基準値を用いて判定する。
【００７２】
具体的には、ＯＲ回路１１−３において、比較器１１−１からの駆動電流値が正常範囲における最大の駆動電流値より大きい旨の情報、また、比較器１１−２で駆動電流値が正常範囲における最小の駆動電流値より小さい旨の情報の何れか一方の情報を受けると、波長異常の検出信号を出力する。
上述の如く、検出器１１は、比較器１１−１，１１−２，ＯＲ回路１１−３をそなえることで、ＡＣＣ回路９にて制御されるＬＤ６−０を駆動する電流値情報に基づいて、ＬＤ６−０から出力される光信号の異常を検出する第５異常検出部としての機能を発揮する。
【００７３】
このように、本発明の第５実施形態にかかる波長多重伝送装置５００によれば、光信号出力部５００が、ＡＣＣ回路９および検出器１１をそなえたことにより光源１の駆動電流と出力波長とが１対１の関係にあることに基づいて、ＬＤ６−０の駆動電流を監視することを通じ、初期起動時を除き、ＬＤ６−０の経時劣化等で駆動電流が所定値よりずれた場合に、ＬＤ６−０の波長異常として検出することができるとともに、波長異常検出した旨が出力されるため、波長異常に対して即座に対処を講ずることができ得る。
（６）第６実施形態の説明
第６実施形態にかかる波長多重伝送装置６００Ａにおいても、前述の第１実施形態の場合と同様、波長多重部５０により複数の異なる光波長（１．５５μｍ帯）を高密度に多重し、例えば、６００ＭＨｚ程度以上の伝達速度で多重信号を出力しうるものである（図２７参照）が、前述の第１実施形態の場合と異なる複数の光信号出力部６００をそなえている。
【００７４】
図１８は、本発明の第６実施形態にかかる光信号出力部６００を示す図であり、この図１８に示すように、光信号出力部６００は、前述の第４実施形態におけるもの（符号４００参照）に、前述の第５実施形態にかかる検出器１１とＯＲ回路１２としての機能を追加して構成される点が異なり、その他（符号６，６−０，６−１，６−２，７，８，９，１０，１１参照）の構成は同様である。
【００７５】
尚、（４），（５）で用いたものと同じものについては、その説明を省略する。
ＯＲ回路１２は、検出器１０，１１からの波長異常検出の通知をいずれか一方から受けると、波長異常検出を出力するものである。
即ち、ＯＲ回路１２は、第５異常検出部としての検出器１１或いは第４異常検出器としての検出器１０において異常が検出された場合に、ＬＤ６−０から出力される光信号の波長異常を検出する第６異常検出部として機能するものである。
【００７６】
上述の構成により、第６実施形態にかかる波長多重伝送装置６００Ａの各光信号出力部６００では、ＯＲ回路１２は、検出器１０からの抵抗の経時劣化等による温度安定化制御の異常を検出した旨の信号を受けると、波長異常検出を出力する。一方、ＯＲ回路１２は、検出器１１からのＬＤ６−０の経時劣化等による駆動電流異常を検出した旨の信号を受けると、波長異常検出を出力する。
【００７７】
このように、本発明の第６実施形態にかかる波長多重伝送装置６００Ａによれば、各光信号出力部６００が、検出器１０，１１とＯＲ回路１２とをそなえたことによりＴＨ６−１の経時劣化にともなう温度影響による光信号の波長ずれを検出することができるともに、ＬＤ６−０の経時劣化等にともになう駆動電流値が正常範囲を逸脱したかを判別することで光信号の波長ずれを検出することができるとともに、波長ずれに対して即座に対処を講ずることができる。
（７）第７実施形態の説明
第７実施形態にかかる波長多重伝送装置７００Ａにおいても、前述の第１実施形態の場合と同様、波長多重部５０により複数の異なる光波長（１．５５μｍ帯）を高密度に多重し、例えば、６００ＭＨｚ程度以上の伝達速度で多重信号を出力しうるものである（図２７参照）が、前述の第１実施形態の場合と異なる複数の光信号出力部７００をそなえている。
【００７８】
図１９は、本発明の第７実施形態にかかる光信号出力部７００を示す図であり、この図１９に示すように、光信号出力部７００は、前述の第６実施形態におけるものに比して、シャットダウン制御部（ｓｈｕｔ  ｄｏｗｎ  ｃｏｎｔｒｏｌ  ，以下「ＣＯＮＴ」と言う。）１３をそなえて構成される点が異なり、その他（符号６，６−０，６−１，６−２，７，８，９，１０，１１，１２参照）の構成は同様である。
【００７９】
尚、（４）〜（６）で用いたものと同じものについては、その説明を省略する。
ＣＯＮＴ１３は、ＯＲ回路１２にて波長異常を検出した際に、ＬＤ６−０の光信号の出力が行なわれないように、駆動電流のＬＤ６−０への導通を断状態となるように、ＡＣＣ回路９を制御するものである。
【００８０】
ここで、図２０は、ＣＯＮＴ１３の機能を説明するための図であり、この図２０に示すように、ＣＯＮＴ１３は、図１７に示す比較器９−１における基準値をＬＤ電流基準ＲＥＦ（参照値）からアースＲＥＦに切り替えるように制御するようになっている。
上述の構成により、本発明の第７実施形態にかかる波長多重伝送装置７００Ａの各光信号出力部７００では、ＣＯＮＴ１３はＯＲ回路１２からの波長異常検出の情報を受け取ると、光源モジュール６かまたはＬＤ６−０の異常を検出したことにより、異常が生じている光信号出力部７００から波長多重部５０に対して出力される光信号を断状態に切り換える。
【００８１】
ＡＣＣ回路９は、比較器９−１での基準値がアース電位になることからＬＤ６−０から光信号が出力されなくなる。
このように、本発明の第７実施形態にかかる光信号出力部７００をそなえた波長多重伝送装置１００Ａによれば、波長異常を検出した際に、波長多重伝送装置１００Ａから波長がずれた光信号を出力しないようシャットダウン制御がＣＯＮＴ１３により行なわれるため、光信号の波長ずれを検出することができるとともに、波長ずれに対して即座に対処を講じて他チャンネルへのクロストークを防止することができる。
（７ａ）第７実施形態の変形例の説明
第７実施形態の変形例にかかる波長多重伝送装置７５０Ａにおいても、前述の第１実施形態の場合と同様、波長多重部５０により複数の異なる光波長（１．５５μｍ帯）を高密度に多重し、例えば、６００ＭＨｚ程度以上の伝達速度で多重信号を出力しうるものである（図２７参照）が、前述の第１実施形態の場合と異なる複数の光信号出力部７５０をそなえている。
【００８２】
図２１は、第７実施形態の変形例にかかる光信号出力部７５０を示す図であり、この図２１に示すように、光信号出力部７５０は、先述の第７実施形態におけるものに比して、光スイッチ（ｏｐｔｉｃａｌ  ｓｗｉｔｃｈ）  １５と、ＣＯＮＴ１３の代わりにＣＯＮＴ１４をそなえて構成される点が異なり、その他（符号６，６−０，６−１，６−２，７，８，９，１０，１１，１２参照）の構成は同様である。
【００８３】
尚、（４）〜（７ａ）で用いたものと同じものについては、その説明を省略する。
光スイッチ１５は、光信号の伝送方向を変えたり、光出力レベルを減衰させる減衰器（ｔｒａｎｓｄｕｃｅｒ）としてのものである。なお、上述の光スイッチ１５としての機能は、アッテネータ（ａｔｔｅｎｕａｔｏｒ）により実現させることもできる。
【００８４】
ＣＯＮＴ１４は、ＣＯＮＴ１３と同じように、波長異常を検出した際に、ＬＤ６−０からの波長ずれが生じた光信号を受信側に到達させないようにするものであり、ＣＯＮＴ１３がＬＤ６−０の駆動電流を断状態にすることに対して、ＣＯＮＴ１４は主信号系の光信号自身を断状態とするものである。
ここで、ＣＯＮＴ１４は、ＬＤ６−０から出力された光信号を途中で断状態とするために、ＬＤ６−０の出力と直列に配置された光スイッチ１５を制御するようになっている。
【００８５】
上述の構成により、第７実施形態の変形例にかかる波長多重伝送装置７５０Ａの各光信号出力部７５０では、ＣＯＮＴ１４は、光源モジュール６かまたはＬＤ６−０の異常が検出された旨の情報をＯＲ回路１２から受けると、光信号出力部７５０から出力される光信号を断状態となるように光スイッチ１５を制御する。光スイッチ１５では、ＣＯＮＴ１４からの制御により、ＬＤ６−０からの光信号を他の経路にスイッチして、主信号系の経路から外しその光信号を、或いは、アッテネータ内の減衰制御により受信出来ない程度に信号の出力レベルを減衰したりする。
【００８６】
このように、本発明の第７実施形態の変形例にかかる光信号出力部７５０をそなえた波長多重伝送装置１００Ａによれば、ＣＯＮＴ１４をそなえたことにより、波長異常を検出した際に、波長多重伝送装置１００ＡからＬＤ６−０からの波長がずれた光信号が受信側に到達しないように光スイッチ１５にシャットダウン制御が施されることから、光信号の波長ずれを検出することができるとともに、波長ずれに対して即座に対処を講じて他チャンネルへのクロストークを防止することができる。
（８）第８実施形態の説明
第８実施形態にかかる波長分離受信装置８００は、前述の第１実施形態の場合等で複数の光信号出力部１００から出力された互いに異なる波長を波長多重部５０で多重して出力する波長多重伝送装置１００等に対する装置であり、高密度に多重された信号、例えば、６００ＭＨｚ程度以上の伝達速度で多重信号を入力するものである。
【００８７】
図２２は、第８実施形態にかかる波長分離受信装置８００を示すブロック図であり、この図２２に示すように、波長分離受信装置８００は、ＷＤＭ分波器１６，光／電気変換器（Ｏｐｔｉｃａｌ  ｒｅｃｅｉｖｅｒ，  以下「ＯＲ」と言う。）１７−１〜１７−ｎ（ｎは自然数），エラー検出部１８ａ，波長ずれ検出部１８ｂをそなえて構成される。
【００８８】
ＷＤＭ分波器１６は、送られてきた多重信号を各波長毎に分波するものであり、ＯＲ１７−１〜１７−ｎは、分波された各光信号（波長λ１  〜λｎ  ；以下、λ１  〜λｎ  は光信号を示す。）を、波長毎に電気信号に変換するものであり、複数の異なる波長数だけそなえられている。
ここで、図２３はＯＲ１７−１〜１７−ｎを示すブロック図であり、この図２３に示すように、各ＯＲ１７−１〜１７−ｎは、受光素子としてＰＤ１７−００，等価増幅処理を施すアンプ１７−０１，比較器１７−Ａ，タイミング成分抽出部１７−０２，フィルタ１７−０３，クロック増幅処理を施すアンプ１７−０４、また、比較器１７−Ａの代わりに比較器１７−Ｂをそなえて構成される。
【００８９】
各比較器１７−Ａは、それぞれ受信した光信号λ１  〜λｎ  の信号振幅を監視するものであり、予め設定された基準値レベルと受信光信号λ１  〜λｎ  の出力レベルとを比較するものである。
一方、各比較器１７−Ｂは、タイミング成分を監視するものであり、予め設定された基準タイミングとそれぞれ受信した入力信号λ１  〜λｎ  から抽出したタイミングとを比較するものである。
【００９０】
エラー検出部１８ａは、受信した信号が所定のフォーマット形式に従ったデータを含むものであるか判断するものである。
波長ずれ検出部１８ｂは、入力断アラームとエラー検出情報とを受けて、波長異常を検出するもので、例えばＯＲ回路で構成される。
上述の構成により、第８実施形態にかかる波長分離受信装置８００では、ＷＤＭ分波器１６は波長多重を複数の互いに異なる波長毎に分離する。なお、以下、ＷＤＭ分波器１６にて多重信号より分波された光信号λｍ  （ｍは自然数）がλｍ＋１  側へずれた場合を想定して、動作の説明をする。
【００９１】
ＷＤＭ分波器１６により多重信号から分波された光信号λｍ  は、ＯＲ１７−ｍのＰＤ１７−００で電気信号に変換され、アンプ１７−０１が、電気信号を等価増幅する。
比較器１７−Ａは、信号振幅を監視するうえで、所定の基準値レベルにアンプ１７−０１からの電気信号レベルが至らない場合は、入力断アラームを出力する。
【００９２】
また、比較器１７−Ｂは、タイミング成分を監視するうえで、抽出したタイミング成分が所定の基準タイミングとずれるような場合に、入力断アラームを出力する。
ここで、比較器１７−Ａ或いは比較器１７−Ｂの何れか一方を選択して使用することにより、入力断の検出を行なうことができる。
【００９３】
このように、各ＯＲ１７−１〜１７−ｎは、それぞれＷＤＭ分波器１６により分離された波長の異なる光信号をＰＤ１７−００で受光し電気信号に変換した情報を監視して、断状態か否かを判定する断状態検出部としての比較器１７−Ａ（或いは１７−Ｂ）をそなえる受光部としての機能を発揮する。
また、光信号λｍ  が光信号λｍ＋１  側へずれると、ＯＲ１７−（ｍ＋１）で電気変換された情報データは、光信号λｍ＋１  の情報データに光信号λｍ  の情報データがエラー検出部１８ａにおいて、重なることになる。この場合には受信信号としての所定のフォーマット形式であるデータ情報、例えば、フレームデータを確認できず、エラー（Ｅｒｒ）が検出される。
【００９４】
これにより、エラー検出部１８ａでは、ＯＲ１７−（ｎ＋１）  において電気信号に変換された信号に含まれるデータについて、所定フォーマット形式を基準としてエラーを検出するエラー検出部の機能を発揮する。
また、波長ずれ検出部１８ｂは、ＯＲ１７−ｎからの入力断アラームと隣接チャンネルのエラー検出部１８ａからのエラー検出信号とにより、波長ずれを検出する。
【００９５】
したがって、波長ずれ検出部１８ｂは、第１送信側波長異常検出部としての機能を発揮する。
尚、光信号λ１  ，λｎ  が、それぞれ波長範囲外の方向に波長がずれた場合は、入力断アラームの発出のみとなる。この場合は、送信器のアラーム情報等を含めた判断が必要となる。
【００９６】
このように、本発明の第８実施形態にかかる波長分離受信装置８００によれば、ＯＲ１７−１〜１７−ｍ，エラー検出部１８ａおよび波長ずれ検出部１８ｂをそなえたことにより、ＯＲ１７−１〜１７−ｎにて光信号λ１  〜λｍ  を電気に変換した情報を基に、入力断アラームの送出とともに、エラーの検出を行なって波長異常を検出することができるとともに、異常に対して即座に処置を講ずることができ得る。
（９）第９実施形態の説明
第９実施形態にかかる波長分離受信装置９００は、前述の第８実施形態の場合と同様に、前述の第１実施形態の場合等で複数の光信号出力部１００から出力された互いに異なる波長を波長多重部５０で多重して出力する波長多重伝送装置１００等に対する装置であり、高密度に多重された信号、例えば、６００ＭＨｚ程度以上の伝達速度で多重信号を入力するものである。
【００９７】
図２４は、本発明の第９実施形態にかかる波長分離受信装置９００を示すブロック図であり、この図２４に示すように、波長分離受信装置９００は、ＷＤＭ分波器１９，ＯＲ２０−１〜２０−ｎをそなえて構成されている。
また、図２４に示すように、ＷＤＭ分波器１９は、フィルタ（以下、「ＦＩＬ」と言う。）１９ａ−１〜１９ａ−ｎ，フィルタ（ＦＩＬ）制御部１９ｂ−１〜１９ｂ−ｎ，パワー分岐部１９ｃおよびカプラ１９ｄ−１〜１９ｄ−ｎをそなえて構成される。
【００９８】
ここで、各ＦＩＬ１９ａ−１〜１９ａ−ｎは、予め設定された所定の波長（λ１  〜λｎ  のいずれか１波長）を抽出するような、透過光波長帯域が可変なものであり、後述のＦＩＬ制御部１９ｂ−１〜１９ｂ−ｎの制御を受けて、受信光信号の波長の変動に追随して抽出するものである。
パワー分岐部１９ｃは、送信側（波長多重伝送装置１００Ａ）からの多重信号をＦＩＬ１９ａ−１〜１９ａ−ｍの数だけ光パワーを分岐するものである。パワー分岐部１９ｃでパワー分岐された光信号は光波長λ１  〜λｎ  を含んで各ＦＩＬ１９ａ−１〜１９ａ−ｎに入射されるようになっている。
【００９９】
各ＦＩＬ制御部１９ｂ−１〜１９ｂ−ｎは、フィルタ制御部として機能するものであり、それぞれＦＩＬ１９ａ−１〜１９ａ−ｎが所定の光波長を抽出することができるようにＦＩＬ１９ａ−１〜１９ａ−ｎに電圧制御を施すものである。ここで、図２５は本発明の第９実施形態にかかるＦＩＬ制御部１９ｂ−ｍを示すブロック図であり、この図２５に示すように、ＦＩＬ制御部１９ｂ−ｍは、制御部１９ｂ−ｍ１，差分検出器１９ｂ−ｍ２，比較器１９ｂ−ｍ３，比較器１９ｂ−ｍ４，ＯＲ回路１９ｂ−ｍ５およびＰＤ１９ｂ−ｍ６をそなえて構成される。なお、他のＦＩＬ制御部１９ｂ−１〜１９ｂ−（ｍ−１），ＦＩＬ制御部１９ｂ−（ｍ＋１）〜１９ｂ−ｎについても、図２５と同様の構成を有している。
【０１００】
以下、光信号にて出力された光信号の波長λｍ  が波長λｍ＋１  側にずれた場合の異常検出機構について、説明する。
制御部１９ｂ−ｍ１は、ＦＩＬ１９ａ−ｍに印加する電圧を制御するものであり、制御するに際して、ＦＩＬ１９ａ−ｍからの出力信号をカプラ１９ｄ−ｍを介してＰＤ１９ｂ−ｍ６により電気変換された波長情報を用いるようになっている。
【０１０１】
差分検出器１９ｂ−ｍ２は、制御部１９ｂ−ｍ１からのＦＩＬ１９ａ−ｍに印加する電圧の情報と所定の基準値との差分を算出するものである。ここで、所定の基準値としては、ＦＩＬ１９ａ−ｍから抽出される波長をλｍ  とするための電圧値を用いることができる。
比較器１９ｂ−ｍ３と比較器１９ｂ−ｍ４は、所定の基準電圧値からのずれが正常の範囲、換言すると制御電圧値と所定の基準電圧値との差分が、正常な制御電圧として許容されるズレの範囲に入るか否かの比較を行なうものである。
【０１０２】
ここで、許容されるズレの範囲として、正常な制御電圧として許容される上限の値（＋値）が、比較器１９ｂ−ｍ３の基準値となる。一方、許容されるズレの範囲として、正常な制御電圧として許容される下限の値（−値）が、比較器１９ｂ−ｍ４の基準値となる。差分検出器１９ｂ−ｍ２での算出値がプラスなら比較器１９ｂ−ｍ３での比較が主となる。
【０１０３】
比較器１９ｂ−ｍ３は、所定の基準値より大きいとの判定をするときは、その旨をＯＲ回路１９ｂ−ｍ５に出力するようになっており、一方比較器１９ｂ−ｍ４は、所定の基準値より小さいと判定するときは、その旨をＯＲ回路１９ｂ−ｍ５に出力するようになっている。
図２４に示す各ＯＲ２０−１〜２０−ｎは、それぞれＦＩＬ１９ａ−１〜１９ａ−ｎにて分離された各光波長λ１  〜λｎ  を光信号を電気信号に変換するものである。
【０１０４】
上述の構成により、第９実施形態にかかる波長分離受信装置９００のＦＩＬ制御部１９ｂ−ｍでは、差分検出器１９ｂ−ｍ２は、制御部１９ｂ−ｍ１からの制御電圧値を基に差分値を算出する。この差分値を基に比較器１９ｂ−ｍ３，１９ｂ−ｍ４は、ＦＩＬ１９ａ−ｍに印加される電圧値が所定の光波長λｍ  を抽出するに許容される範囲にあるか否かを判定する。そして、ＯＲ回路１９ｂ−ｍ５は、比較器１９ｂ−ｍ３（或いは、１９ｂ−ｍ４）からの制御電圧値が許容範囲を外れる旨の信号を受けると、波長異常検出の信号を出力する。
【０１０５】
したがって、ＦＩＬ制御部１９ｂ−ｍは、制御部１９ｂ−ｍ１から出力される制御信号に基づいて、送信側における波長多重が行なわれた光信号の波長のうちで、異常が発生している波長を検出する第２送信側波長異常検出部としての機能を発揮する。
エラー検出部１８ａ′（図示しない）は、ＯＲ２０−ｍにて受信した信号が所定のフォーマット形式に従ったデータ、例えば、通信技術におけるプロトコルに従ったデータ伝送でのデータ形式〔データフレーム〕等）に適合しているものが否かを判定し、エラーを検出し得る。このエラー検出は、波長λｍ＋１  側でも同様に検出し得る。
【０１０６】
このように、本発明の第９実施形態にかかる波長分離受信装置９００によれば、ＦＩＬ制御部１９ｂ−ｍをそなえることにより、所定の光波長λｍ  を抽出する際にＦＩＬ１９ａ−ｍに印加される電圧値情報を基に、波長ずれを検出することができるとともに、異常に対する処置を即座に講ずることができる。
なお、上記のように可変波長型のフィルタを用いる場合に、可変波長範囲がチャンネル間隔に対して狭い場合は、実質的に固定波長型のフィルタの場合と等価になり、前述の（８）のものと同様に波長ずれを検出することができる。
（９ａ）第９実施形態の変形例の説明
ところで、上述の第９実施形態にかかる波長分離受信装置９００において、波長異常を検出した際に、送信側にその異常情報を転送する転送部２２−２を設けることができる。
【０１０７】
ここで、図２６は、波長多重信号を伝送するシステム２１を示すブロック図であり、この図２６に示すように、伝送システム２１は受信装置（前述の波長分離受信装置９００の機能をそなえるもの）２２，送信装置２３，上り回線２４−ａおよび下り回線２４−ｂをそなえて構成されている。
また、受信装置２２では、波長多重信号を受信する受信回路２２−１としてＷＤＭ分波器１９，転送部２２−２をそなえて構成される。
【０１０８】
ＷＤＭ分波器１９のＦＩＬ制御部１９ｂ−ｎは、制御電圧の情報を基づき波長ずれを検出した際には、その旨を転送部２２−２に出力するようになっている。転送部２２−２は、所定の光出力部からの光信号の波長がずれている情報を送信装置２３に伝えるものである。
ここで、転送部２２−２は、波長異常情報を送信装置２３への伝送データにおけるオーバーヘッドビットやあるいは別の波長信号として波長多重により伝送するものである。
【０１０９】
また、送信装置２３は、前述の（１）（或いは（２）〜（７）の何れか）の光信号出力部１００（或いは１００〜７００等の何れか），アテネータ１５，受信回路２３−１をそなえて構成される。なお、アテネータ１５と同様の機能である光スイッチをそなえることとしてもよい。
受信装置２３−１は、受信装置２２からの出力された信号上に、波長異常情報があるか否かを監視するものである。ここで、受信装置２２からの出力信号が波長多重信号であるなら、受信回路２２−１と同様に、ＷＤＭ分波器１９を用いることができ、複数の異なる波長毎に分離された信号上のデータに、波長異常情報が含まれているか否かをも監視する機能を有するものである。波長異常情報は、所定の１波長或いは複数の異なる波長の信号中に含めて送られてくるようになっている。
【０１１０】
上述の構成により、第９実施形態の変形例にかかる受信装置２２の転送部２２−２は、送信装置２３からのデータが伝送される上り回線２４−ａとは逆の下り回線を用いて、波長異常情報を主信号におけるオーバーヘッドビット等に挿入して、送信側へ送る。
波長異常情報を受信回路２３−１で検出するとその旨は、アテネータ等１５に出力され、アテネータ等１５は、光信号出力部からの光信号の出力をシャットダウン（遮断）する。
【０１１１】
このように、本発明の第９実施形態の変形例にかかる受信装置２２によれば、転送部２２−２をそなえることで受信側で波長異常を検出した場合において送信側にその異常情報を転送することができるため、他チャンネルへのクロストークを防止することができるとともに、異常に対する処置を即座に講ずることができ得る。
【０１１２】
ならびに、上記の波長異常情報への送信側へ転送する転送部２２−２は、前述（８）の波長分離受信装置８００で波長異常を検出した際においても、同様に用いることができる。
（１０）その他
（１）〜（９ａ）で本発明の実施形態に関して詳述してきたが、これらに限定されず本発明の趣旨を逸脱しない範囲で種々変形して実施することができる。
【０１１３】
【発明の効果】
以上、述べたように、本発明の波長多重伝送装置によれば、各光信号出力部において、送信光源が電気信号により駆動されて所定の光信号を出力して、波長フィルタが送信光源から出力された光信号の波長ドリフトを防止すべく、送信光源から出力されるべき所定の波長のみを通過し送出しうるようになっているので、所定の正常範囲から外れた光波長を波長フィルタが減衰させて、波長多重信号として伝送されないことで、他チャンネルへのクロストークを防止することができる利点がある。
【０１２１】
また、各光信号出力部において、第１異常検出部が、波長フィルタから送出される光信号のレベルを監視しているので、光信号のレベルが予め設定された第１のしきい値レベルよりも小さくなったかを判断することにより、光源波長の異常を検出することができる利点がある。
さらに、各光信号出力部において、第２異常検出部が送信光源から出力される光信号の出力レベルの異常を検出し、第３異常検出部が第１異常検出部と第２異常検出部の検出結果を監視するようになっているので、光源異常を検出するばかりか、波長ずれを検出することができる利点がある。
【図面の簡単な説明】
【図１】本発明の第１実施形態にかかる光信号出力部を示すブロック図である。
【図２】本発明の第１実施形態にかかる波長フィルタを示すブロック図である。
【図３】本発明の第１実施形態にかかる波長フィルタの損失特性を示す図である。
【図４】本発明の第２実施形態にかかる光信号出力部を示すブロック図である。
【図５】（ａ），（ｂ）は、いずれも本発明の第２実施形態にかかるカプラを示す図である。
【図６】本発明の第２実施形態にかかる検出器を示す図である。
【図７】本発明の第２実施形態にかかる比較器に入力される光信号のレベル値と波長との関係を示す図である。
【図８】本発明の第３実施形態にかかる光信号出力部を示すブロック図である。
【図９】本発明の第３実施形態の変形例にかかる光信号出力部を示すブロック図である。
【図１０】本発明の第４実施形態にかかる光信号出力部を示すブロック図である。
【図１１】本発明の第４実施形態にかかるペルチェ素子を示す図である。
【図１２】本発明の第４実施形態にかかるペルチェ素子の特性を説明するための図である。
【図１３】本発明の第４実施形態にかかるＡＴＣを示すブロック図である。
【図１４】本発明の第４実施形態にかかる検出器を示すブロック図である。
【図１５】本発明の第４実施形態における検出器の動作を説明すべくペルチェ電流モニタと周囲温度との関係を示す図である。
【図１６】本発明の第５実施形態にかかる光信号出力部を示すブロック図である。
【図１７】本発明の第５実施形態にかかるＡＣＣと検出器とを示すブロック図である。
【図１８】本発明の第６実施形態にかかる光信号出力部を示すブロック図である。
【図１９】本発明の第７実施形態にかかる光信号出力部を示すブロック図である。
【図２０】本発明の第７実施形態にかかるＣＯＮＴの機能を説明するための図である。
【図２１】本発明の第７実施形態の変形例にかかる光信号出力部を示すブロック図である。
【図２２】本発明の第８実施形態にかかる波長分離受信装置を示すブロック図である。
【図２３】本発明の第８実施形態にかかるＯＲ（オプチカル  レシーバー）を示すブロック図である。
【図２４】本発明の第９実施形態にかかる波長分離受信装置を示すブロック図である。
【図２５】本発明の第９実施形態にかかるフィルタ制御部を示すブロック図である。
【図２６】本発明の第９実施形態の変形例にかかる伝送システムを示すブロック図である。
【図２７】本発明の第１実施形態にかかる波長多重伝送装置を示すブッロク図である。
【符号の説明】
１  光源
２  波長フィルタ
２−１  誘電体多層膜
２−２ａ，２−２ｂ  レンズ
２−３ａ，２−３ｂ  ファイバ
３，３−１  カプラ
４，４′，４″，１０，１１  検出器
４−１，１７−００  受光素子
４−２  比較器
５  ＡＮＤ回路
６  光源モジュール
６−０  ＬＤ
６−１  ＴＨ
６−２  ＴＥＣ
７  ＡＴＣ
７−０，９−１，１０−２，１０−３，１１−１，１１−２，１７−Ａ，１７−Ｂ，１９ｂ−１３〜１９ｂ−ｎ３，１９ｂ−１４〜１９ｂ−ｎ４  比較器
７−１，９−２  トランジスタ
８  周囲環境監視回路
９  ＡＣＣ
１０−１  加算器
１０−４，１１−３，１２，１９ｂ−１５〜１９ｂ−ｎ５  ＯＲ回路
１３，１４  ＣＯＮＴ
１５  光スイッチ／アテネータ
１６，１９  ＷＤＭ分波器
１７−１〜１７−ｎ，２０−１〜２０−ｎ  ＯＲ（オプチカル  レシーバー）
１７−０１，１７−０４  アンプ
１７−０２  タイミング成分抽出部
１７−０３  フィルタ
１８ａ  エラー検出部
１８ｂ  波長ずれ検出部
１９ａ−１〜１９ａ−ｎ  可変波長フィルタ
１９ｂ−１〜１９ｂ−ｎ  ＦＩＬ制御部
１９ｂ−１１〜１９ｂ−ｎ１  制御部
１９ｂ−１２〜１９ｂ−ｎ２  差分検出器
１９ｃ  パワー分岐部
２１  伝送システム
２２  受信装置
２２−１，２３−１  受信回路
２３  送信装置
２４−ａ  上り回線
２４−ｂ  下り回線
５０  多重部                                                          １００，２００，３００，３５０，４００，５００，６００，７００，７５０光信号出力部
１００Ａ，２００Ａ，３００Ａ，３５０Ａ，４００Ａ，５００Ａ，６００Ａ，７００Ａ，７５０Ａ  波長多重伝送装置
８００，９００  波長分離受信装置
【図１】
0003603082.tif 000002
【図２】
0003603082.tif 000003
【図３】
0003603082.tif 000004
【図４】
0003603082.tif 000005
【図５】
0003603082.tif 000006
【図６】
0003603082.tif 000007
【図７】
0003603082.tif 000008
【図８】
0003603082.tif 000009
【図９】
0003603082.tif 000010
【図１０】
0003603082.tif 000011
【図１１】
0003603082.tif 000012
【図１２】
0003603082.tif 000013
【図１３】
0003603082.tif 000014
【図１４】
0003603082.tif 000015
【図１５】
0003603082.tif 000016
【図１６】
0003603082.tif 000017
【図１７】
0003603082.tif 000018
【図１８】
0003603082.tif 000019
【図１９】
0003603082.tif 000020
【図２０】
0003603082.tif 000021
【図２１】
0003603082.tif 000022
【図２２】
0003603082.tif 000023
【図２３】
0003603082.tif 000024
【図２４】
0003603082.tif 000025
【図２５】
0003603082.tif 000026
【図２６】
0003603082.tif 000027
【図２７】
0003603082.tif 000028